(57)【特許請求の範囲】
【請求項１】
複数の装置をＤＩＮレールに併設して取り付ける取り付け構造であって、
前記ＤＩＮレールに前記装置を取り付ける取り付け面部を備え、
前記取り付け面部は、
前記ＤＩＮレールを収容可能なＤＩＮレール収容溝と、
前記ＤＩＮレール収容溝の上側縁に設けられ、前記ＤＩＮレールの上側フランジを把持する爪部材と、
前記ＤＩＮレールの下側フランジをロック可能に構成されたロック部材と、
前記ＤＩＮレール収容溝下の斜め方向に沿って形成され、前記ロック部材を収容するロック部材収容溝と、を備え、
前記ロック部材は、前記取り付け面部の一方の側面から突出可能に形成された取っ手部を備え、前記ＤＩＮレール収容溝の下側縁に進出して前記下側フランジをロックするロック位置と、前記ＤＩＮレール収容溝の下側縁から離間する解除位置との間で、前記ロック部材収容溝を前記ＤＩＮレール収容溝下の斜め方向に沿って移動可能に構成され、
前記ＤＩＮレールに設置された前記装置のロック部材が解除位置にあるときに、該装置の取っ手部は、該装置に併設して設置される装置の側部に接触することにより押し込まれ、前記ロック位置に前記ロック部材を移動するように構成されている、取り付け構造。
【請求項２】
前記ＤＩＮレールに先に設置された設置済装置のロック部材がロック位置にあるときに、前記設置済装置の取っ手部を収容可能な形状を有する取っ手部収容溝が、前記装置の前記取り付け面部の他方の側面に設けられている、請求項１に記載の取り付け構造。
【請求項３】
前記装置のロック部材がロック位置にあるときに、前記装置の取っ手部を収容可能な形状を有する取っ手部収容溝が、前記ロック部材収容溝の一部を構成している、請求項１に記載の取り付け構造。
【請求項４】
前記取り付け構造は、
前記ロック部材を付勢する付勢機構を設け、
前記付勢機構は、前記ロック位置と前記解除位置との間の境界位置において、付勢方向が切り替わるように構成され、前記ロック位置と前記境界位置との間にある前記ロック部材を前記ロック位置に付勢し、前記境界位置と前記解除位置との間にある前記ロック部材を前記解除位置に付勢する、請求項１から３のいずれかに記載の取り付け構造。
【請求項５】
前記取っ手部は、前記ロック部材の移動方向を示す移動方向表示部を有している、請求項１から４のいずれかに記載の取り付け構造。
【請求項６】
前記ロック部材は、前記ロック部材が解除状態であることを示す解除状態表示部を有し、前記解除状態表示部は、前記ロック部材が解除状態にあるときには見える位置に、前記ロック部材がロック位置にあるときには、前記取り付け面部内に収容されるように構成されている、請求項１から５のいずれかに記載の取り付け構造。
【請求項７】
前記取り付け面部は、前記装置のいずれかの面で構成されている、請求項１から６のいずれかに記載の取り付け構造。
【発明の詳細な説明】
【技術分野】
【０００１】
本発明は、装置をＤＩＮ（ドイツ工業規格）レールに取り付ける取り付け構造に関するものである。特に、ＰＬＣ（プログラマブルコントローラ）、タイマ、カウンタ、温度調節計といった制御機器等の装置をＤＩＮレールに取り付けるための取り付け構造に関するものである。
【背景技術】
【０００２】
近年、制御機器等の装置を取り付けるためのレールとして、ＤＩＮレールが使用されている。図１４は、従来における装置のＤＩＮレールへの取り付け状態を示す側面図である。同図に示すように、ＤＩＮレール１は、断面略コ字状に形成され、開口端部にはフランジ２（２ａ，２ｂ）がそれぞれ形成されている。ＤＩＮレール１は、その底面３が壁４に当接した状態で、ネジ等の締結具（図示せず）により壁４に固定されている。【０００３】
また、従来における装置１００は、その裏面に爪部材１０１と、上下にスライド可能なロック部材１０２とを備えている。図１４（ａ）に示されるように、装置１００のロック部材１０２を矢印Ａのように下方に引き下げるとともに、爪部材１０１をＤＩＮレール１の上側フランジ２ａに係止させる。この状態で、装置１００を矢印Ｂのように回動させて、装置１００の裏面（取り付け面）を壁４に対向させる。そして、図１４（ｂ）に示されるように、ロック部材１０２を矢印Ｃのように上方にスライドさせて、ＤＩＮレール１の下側フランジ２ｂと係合させてロックさせ、装置１００をＤＩＮレール１に取り付ける。
特許文献１には、この種の取り付け構造を備えたＤＩＮレール用の取り付け装置が開示されている。
また、ＤＩＮレール１に対して、制御機器等の装置を複数併設できるような構造が広く用いられている。
【先行技術文献】
【特許文献】
【０００４】
【特許文献１】特開平１０−１５４８８４号公報
【発明の概要】
【発明が解決しようとする課題】
【０００５】
しかしながら、従来の装置１００は、上述のように、ロック部材１０２が装置１００の下側に設けられており、作業者はロック部材１０２が上方に押し上げられているか否かを装置１００の下側から視認しなければならない。このため、ＤＩＮレール１に対して、ロックされているか否かの判別がし難いという課題がある。
また、従来の装置１００をモジュール化して、ＤＩＮレール１に複数併設する際に、装置１００毎にロック部材１０２を押し上げるロック処理を行う必要があり、設置に手間がかかるという課題がある。そして、ロック処理が不十分な装置１００があっても、その隣に別の装置１００を併設することができてしまうため、ロック処理が不十分な装置１００がガタつきや脱落の原因となる恐れがあった。【０００６】
この発明は上述のような課題を解決するためになされたもので、ＤＩＮレールに対して装置がロックされているか否かの判別を容易に行うことができる、装置の取り付け構造を提供することを目的とする。
【課題を解決するための手段】
【０００７】
本発明における、装置をＤＩＮレールに取り付ける取り付け構造は、装置をＤＩＮレールに取り付ける取り付け構造であって、前記ＤＩＮレールに前記装置を取り付ける取り付け面部を備え、前記取り付け面部は、前記ＤＩＮレールを収容可能なＤＩＮレール収容溝と、前記ＤＩＮレール収容溝の上側縁に設けられ、前記ＤＩＮレールの上側フランジを把持する爪部材と、前記ＤＩＮレールの下側フランジをロック可能に構成されたロック部材と、前記ＤＩＮレール収容溝下の斜め方向に沿って形成され、前記ロック部材を収容するロック部材収容溝と、を備え、前記ロック部材は、前記取り付け面部の一方の側面から突出可能に形成された取っ手部を備え、前記ＤＩＮレール収容溝の下側縁に進出して前記下側フランジをロックするロック位置と、前記ＤＩＮレール収容溝の下側縁から離間する解除位置との間で、前記ロック部材収容溝を前記ＤＩＮレール収容溝下の斜め方向に沿って移動可能に構成されている。【０００８】
この発明によれば、前記装置を前記ＤＩＮレールに取り付ける際に、前記ＤＩＮレール収容溝の上側縁に設けられた爪部材で前記ＤＩＮレールの上側フランジを把持し、前記取り付け面部を壁に対向させる。前記ロック部材が解除位置にあるときは、前記取っ手部と前記ロック部材の一部は、前記取り付け面部の一方の側面から大きく突出している。前記ロック部材が、前記解除位置から前記ロック位置へと前記ＤＩＮレール収容溝下の斜め上方向に沿って移動するに従って、突出していた前記ロック部材の少なくとも一部が前記取り付け面部に隠れる状態になる。このため、作業者は、前記取り付け面部から突出している部分の形状により、ロックされたか否かを容易に判別することができる。【０００９】
また、本発明の取り付け構造において、前記構成を備えた上で、前記ＤＩＮレールに先に設置された設置済装置のロック部材がロック位置にあるときに、前記設置済装置の取っ手部を収容可能な形状を有する取っ手部収容溝が、前記装置の前記取り付け面部の他方の側面に設けられているようにしてもよい。
この発明によれば、前記装置の取っ手部収容溝は、前記設置済装置のロック部材が前記ロック位置にあるときに前記設置済装置の取っ手部を収容するため、作業者は、前記設置済装置に前記装置が隙間なく併設されているか否かによって、前記設置済装置がロックされているか否かの判別を容易に行うことができる。また、前記ＤＩＮレールに前記装置を複数併設する場合に、前記設置済装置の前記取っ手部を、次に併設する装置の取っ手部収容溝に収容することで、装置の併設処理と設置済装置のロック処理とを並行して行うことができ、最後に併設する装置だけを手動でロック処理を行えば良くなるため、前記設置済装置のロック処理の手間を低減することができる。【００１０】
また、本発明の取り付け構造において、前記構成を備えた上で、前記装置のロック部材がロック位置にあるときに、前記装置の取っ手部を収容可能な形状を有する取っ手部収容溝が、前記ロック部材収容溝の一部を構成しているようにしてもよい。
この発明によれば、前記装置の取っ手部収容溝は、前記装置のロック部材が前記ロック位置にあるときに前記装置の取っ手部を収容するため、作業者は、前記装置に前記併設された装置が隙間なく併設されているか否かによって、前記装置がロックされているか否かの判別を容易に行うことができる。また、前記ＤＩＮレールに前記装置を複数併設する場合に、前記ＤＩＮレールに先に設置された設置済装置の前記取っ手部を前記装置が押し込むことによって、装置の併設処理と設置済装置のロック処理とを並行して行うことができ、最後に併設する装置だけを手動でロック処理を行えば良くなるため、前記設置済装置のロック処理の手間を低減することができる。また、装置の取っ手部が該装置の取っ手部収容溝に収容されるため、装置の設置後に取っ手部が突出せず、利便性を高めることができる。また、前記取っ手部収容溝にざぐり穴を側面側から掘り下げて設けることで、該ざぐり穴にドライバ等の器具や作業者の手を介して、取っ手部収容溝に収容された取っ手部を引き出し易くすることもできる。【００１１】
また、本発明の取り付け構造において、前記構成を備えた上で、前記ロック部材を付勢する付勢機構を設け、前記付勢機構は、前記ロック位置と前記解除位置との間の境界位置において、付勢方向が切り替わるように構成され、前記ロック位置と前記境界位置との間にある前記ロック部材を前記ロック位置に付勢し、前記境界位置と前記解除位置との間にある前記ロック部材を前記解除位置に付勢する、ようにしてもよい。【００１２】
また、本発明の取り付け構造において、前記構成を備えた上で、前記取っ手部は、前記ロック部材の移動方向を示す移動方向表示部を有している、ようにしてもよい。【００１３】
また、本発明の取り付け構造において、前記構成を備えた上で、前記ロック部材は、前記ロック部材が解除状態であることを示す解除状態表示部を有し、前記解除状態表示部は、前記ロック部材が解除状態にあるときには見える位置に、前記ロック部材がロック位置にあるときには、前記取り付け面部内に収容されるように構成されている、ようにしてもよい。【００１４】
また、本発明の取り付け構造において、前記構成を備えた上で、前記取り付け面部は、前記装置のいずれかの面で構成されている、ようにしてもよい。
【発明の効果】
【００１５】
この発明によれば、ＤＩＮレールに対して装置がロックされているか否かの判別を容易に行うことができる。
【図面の簡単な説明】
【００１６】
【図１】本発明の実施形態１におけるＤＩＮレールに装置を取り付ける取り付け構造を示す斜視図であり、（ａ）は装置の取り付け面側から視た図であり、（ｂ）はその反対側から視た図である。
【図２】本発明の実施形態１における取り付け面部を備えた装置を取り付け面側から視た正面図である。
【図３】本発明の実施形態１における装置をＤＩＮレールに複数併設する場合の、対象の装置の取り付け方法を示す工程説明図である。
【図４】本発明の実施形態１における装置をＤＩＮレールに複数併設する場合の、対象の装置の取り付け方法を示す工程説明図である。
【図５】本発明の実施形態１における装置をＤＩＮレールに複数併設する場合の、対象の装置の取り付け方法を示す工程説明図である。
【図６】本発明の実施形態１における装置をＤＩＮレールに複数併設する場合の、対象の装置の取り付け方法を示す工程説明図である。
【図７】本発明の実施形態１における装置をＤＩＮレールに複数併設する場合の、対象の装置の取り付け方法を示す工程説明図である。
【図８】本発明の実施形態１における装置をＤＩＮレールに複数併設する場合の、対象の装置の取り付け方法を示す工程説明図である。
【図９】本発明の実施形態１における装置をＤＩＮレールに複数併設する場合の、対象の装置の取り付け方法を示す工程説明図である。
【図１０】本発明の実施形態１におけるロック部材及びロック部材収容溝の関係を示す説明図であり、（ａ）はロック部材収容溝の要部を、（ｂ）は解除位置にあるロック部材を、（ｃ）はロック位置にあるロック部材を示す説明図である。
【図１１】本発明の実施形態１におけるロック部材及びロック部材収容溝の関係を示す説明図であり、（ａ）は解除位置にあるロック部材を、（ｂ）は境界位置にあるロック部材を、（ｃ）はロック位置にあるロック部材を示す説明図である。
【図１２】本発明の実施形態２における取り付け面部を備えた装置をＤＩＮレールに複数併設する場合の、対象の装置の取り付け方法を示す工程説明図である。
【図１３】図１２に示す取っ手部及び取っ手部収容溝を示す拡大説明図である。
【図１４】従来における装置のＤＩＮレールへの取り付け状態を示す側面図である。
【発明を実施するための形態】
【００１７】
以下、本発明を実施するための形態について、図面を参照しながら、さらに具体的に説明する。図１は、本発明におけるＤＩＮレールに装置を取り付ける取り付け構造を示す斜視図であり、（ａ）は装置の取り付け面側から視た図であり、（ｂ）はその反対側から視た図である。
【００１８】
図１に示す装置１０は、略直方体形状の制御機器である。ＤＩＮレール１を収容するために、装置１０はその背面側に取り付け面部１２を有するハウジング１１を備えている。本実施形態では、取り付け面部１２側の面を正面として説明する。
取り付け面部１２について、図２を参照して説明する。この図に示されるように、取り付け面部１２は、平面視長方形状であり、取り付け面部１２の長辺方向及び短辺方向にＤＩＮレール１を収容するためのＤＩＮレール収容溝１３、１４を形成している。
【００１９】
ＤＩＮレール収容溝１４の上側縁には、爪部材２１ａ，２１ｂが設けられ、爪部材２１ａ，２１ｂによってＤＩＮレール１の上側フランジ２ａを把持するように構成されている。
取り付け面部１２は、ＤＩＮレール収容溝１４に収容されるＤＩＮレール１の下側フランジ２ｂを、ロック可能に構成されたロック部材１７を備えている。図２に示されるように、ロック部材１７は、取り付け面部１２に形成されたロック部材収容溝２４に収容されている。ロック部材収容溝２４は、ロック部材１７の厚みの分だけ取り付け面部１２よりも掘り下げられている。また、ロック部材１７は、ＤＩＮレール収容溝１４の下側斜め方向に形成されたレール状のガイド部２３ａ，２３ｂに沿って、スライドするように構成されている。これにより、ロック部材１７は、ＤＩＮレール収容溝１４の下側縁に進出してＤＩＮレール１の下側フランジ２ｂを進出部２２ｂでロックするロック位置と、ＤＩＮレール収容溝１４の下側縁から離間する解除位置との間で、ＤＩＮレール収容溝１４の下側斜め方向に沿って移動可能に構成される。
【００２０】
本実施形態１において、ロック部材１７及びロック部材収容溝２４は、ロック位置と解除位置との間の境界位置において、ロック位置と境界位置との間にあるロック部材１７をロック位置に付勢し、境界位置と解除位置との間にあるロック部材１７を解除位置に付勢する付勢機構を有している。これについて、図１０、図１１を用いて説明する。これらの図に示されるように、ロック部材１７は、板バネ部３１と、その先端側に設けられたコマ３２とを有している。ロック部材収容溝２４の底面は、コマ３２に係合可能な解除穴３３及びロック穴３４を有している。コマ３２が解除穴３３に係合しているときに、ロック部材１７は解除位置にあり、コマ３２がロック穴３４に係合しているときに、ロック部材１７はロック位置にある。
【００２１】
図１１に示されるように、ロック部材収容溝２４は、解除位置３５とロック位置３７との間に境界位置３６を有している。より具体的には、ロック部材収容溝２４は、解除穴３３とロック穴３４との間に、境界位置３６を頂点とする凸部を有し、境界位置３６と解除穴３３との間に解除側スロープ３８を、境界位置３６とロック側スロープ３９を有している。これにより、ロック部材１７のコマ３２は、境界位置３６を境にして解除位置３５またはロック位置３７のいずれかに付勢されることになる。これについては、図３〜図１１を用いて詳細を後述する。
【００２２】
ロック部材１７は、取り付け面部１２の一方の側面（図２の左側）から突出する取っ手部２５を備えている。取っ手部２５は、ロック部材１７の移動方向（図２の斜め矢印）を示す表示部２６を有している。また、取っ手部２５には、ドライバ係合穴２７が設けられており、ドライバ係合穴２７にドライバ（不図示）を係合させて、取っ手部２５を移動させることができる。この場合、表示部２６にロック部材１７の移動方向が示されているため、作業者は移動方向の把握がし易くなっている。
取り付け面部１２は、その他方の側面（図２の右側）に、取っ手部２５を収容する取っ手部収容溝２８を有している。取っ手部収容溝２８については、図３〜図９を用いて詳細を後述する。
【００２３】
このように構成された装置１０の併設処理について、図３〜図１１を用いて説明する。これらの図は、ＤＩＮレール１に対して３つの装置１０，１０’，１０’’を併設する過程を示している。図３において、装置１０’’は増設対象の装置であり、装置１０’はロックが外れた状態の設置済装置であり、装置１０はＤＩＮレール１に固定された状態の設置済装置である。すなわち、装置１０は、爪部材２１ａ，２１ｂと、ロック位置３７に位置したロック部材１７の進出部２２ｂとでＤＩＮレール１に固定されているが、装置１０’，１０’’のロック部材１７’，１７’’はＤＩＮレール１から離間した解除位置３５に位置しており、装置１０’，１０’’はＤＩＮレール１に沿って容易に移動可能となっている。図２に示される装置１０は、図３に示される装置１０’’の状態に対応している。図３に示される装置１０’，１０’’は、図１０（ｂ）、図１１（ａ）に示される状態に対応している。
なお、装置１０，１０’，１０’’の構造は全て同一であるため、特に区別する必要の無い時には、“’”や“’’”を付さずに説明する。
【００２４】
次に、図４に示されるように、装置１０’’をＤＩＮレール１上でＲ方向に滑らせて、装置１０’に装置１０’’を押し付ける。このとき、装置１０’’に形成された取っ手部収容溝２８’’の下縁３０’’の開口端側に、装置１０’の取っ手部２５’が接触する。
装置１０’’の取っ手部収容溝２８’’は、装置１０’のロック部材１７’がロック位置にあるときに、装置１０’の取っ手部２５’を収容するように構成されている。より具体的には、取っ手部収容溝２８’’の収容溝上縁２９’’は、ロック位置での取っ手部２５’の上縁の高さＨ１（図２参照）と略一致している。また、取っ手部収容溝２８’’の収容溝下縁３０’’は、その開口端側が解除位置での取っ手部２５’の下縁の高さＬ０（図２参照）と略一致しており、その基端側がロック位置での取っ手部２５’の下縁の高さＬ１（図２参照）と略一致している。
図５に示されるように、装置１０’’をさらにＲ方向に滑らせていくと、装置１０’の取っ手部２５’がこれに接触する下縁３０’’に沿って押し上げられ、これにより、ロック部材１７’が、ＤＩＮレール１の下側フランジ２ｂに向かって、ガイド部２３ａ’，２３ｂ’に沿って移動する。このとき、ロック部材１７’のコマ３２’は、解除側スロープ３８’に当接し、解除穴３３’側に移動するように付勢力が働いている。このため、この状態で装置１０’’の押し付けを停止すると、ロック部材１７’は解除位置３５’に復帰することになる。
【００２５】
図６に示されるように、装置１０’’をさらにＲ方向に滑らせていくと、装置１０’の取っ手部２５’が下縁３０’’の基端側に移動し、ロック部材１７’のコマ３２’がロック部材収容溝２４’を斜め上方に移動して、装置１０’のロック部材１７’のコマ３２’が境界位置３６’に到達する。このとき、図１１（ｂ）から把握されるように、コマ３２’に作用していた解除穴３３’側への付勢力は解除される。
そして、装置１０’’をさらにＲ方向に滑らせていくと、装置１０’の取っ手部２５’が下縁３０’’の基端側にさらに移動し、これにより、装置１０’のロック部材１７’のコマ３２’が境界位置３６’を越えてロック側スロープ３９’に当接する。このとき、コマ３２’にはロック穴３４’側に移動するように付勢力が作用し、ロック部材１７’がロック位置３７’まで自動的に移動する。最終的に、図７、図１０（ｃ）、図１１（ｃ）に示されるように、装置１０’のコマ３２’はロック穴３４’に係合し、ロック部材１７’はロック位置３７’に保持されることになる。このとき、ロック部材１７’の進出部２２ｂ’でＤＩＮレール１の下側フランジ２ｂをロックする。このように構成することで、装置１０’，１０’’間に所定の隙間（遊び）があっても、付勢力によって自動的にロックがかかる。
【００２６】
本実施形態１では、解除側スロープ３８よりもロック側スロープ３９の傾斜が大きくなるように形成しており、これにより、ロック位置側への付勢力を強くしている。しかしながら、この構成に限定されるものではなく、解除側スロープ３８よりもロック側スロープ３９の傾斜が小さくなるようにしてもよく、同じ傾斜となるようにしてもよい。また、傾斜部分にＲを付けて連続的に付勢力を変化させてもよい。
【００２７】
図８は、装置１０’に一度近接させた増設対象の装置１０’’をＬ方向に滑らせて、装置１０’から離間させる状態を示している。このとき、装置１０’のコマ３２’は、装置１０’’を装置１０’に近接させる動作と上述の付勢力によって、既にロック穴３４’に係合しており、ロック部材１７’はロック位置３７’に保持されたままである。そして、図９に示すように、装置１０’’をさらにＬ方向に滑らせて、装置１０’から完全に離間した状態となっても、装置１０’のロック部材１７’はロック位置３７’に保持される。
【００２８】
図９の装置１０’，１０’’等に示されるように、解除位置にあるロック部材１７’’は、取っ手部２５’’とロック部材１７’’の一部が取り付け面部１２’’の左側面から大きく突出している。一方、ロック位置にあるロック部材１７’は、突出していたロック部材１７’の一部が取り付け面部１２’に隠れ、取っ手部２５’のみが見える状態になる。このため、作業者は、取り付け面部１２から突出している部分の形状により、ロックされたか否かを容易に判別することができる。
また、取っ手部収容溝２８’’は、ロック位置にある取っ手部２５’を収容するため、作業者は、装置１０’，１０’’が隙間なく併設されているか否かによって、装置１０’がロックされているか否かの判別を容易に行うことができる。また、ＤＩＮレール１に装置１０，１０’，１０’’を併設していく場合には、次に設置する装置を設置済みの装置に近接させていくことにより、装置１０，１０’の取っ手部２５，２５’は、装置１０’ ，１０’’の取っ手部収容溝２８’、２８’’に次々と収容されることになる。つまり、近接させる作業によって、装置１０’，１０’’の併設処理と装置１０，１０’のロック処理とを並行して行うことができ、最後に併設する装置１０’’だけを手動でロック処理を行えば良くなるため、装置１０，１０’のロック処理の手間を省くことができる。
また、ＤＩＮレール１から見た取っ手部２５と取っ手部収容溝２８の形状を統一することで、外観形状の異なる装置であっても併設の利便性を高めることができ、汎用性も確保できる。
【００２９】
以上のように、本実施形態１によれば、ＤＩＮレールに対して装置がロックされているか否かの判別を容易に行うことができ、最後に併設する装置だけを手動でロック処理を行えば良くなるため、装置のロック処理の手間を低減して、併設処理の際に装置のロック処理を確実に行うことができる。
上述した実施形態１の装置１０は、ＤＩＮレール１に複数併設する際に好適な構成を有しているが、単独で設置する場合であっても、ロック状態の認識性に関して顕著な作用効果を有する。
【００３０】
本実施形態１においては、ＤＩＮレール収容溝１４は、取り付け面部１２に対して非対称な位置、より具体的には、取り付け面部１２の短手方向中心線に対して上側にオフセットした位置に形成されている。このようにすることで、ロック部材収容溝２４を長くして、ロック部材１７を支える強度を確保している。また、取り付け面部１２に取っ手部収容溝２８を形成できるだけの領域を確保している。
【００３１】
次に、本発明の実施形態２における装置４０について、図１２、図１３を用いて説明する。ここで、実施形態１と同様に構成された部材については、同一の番号を付してその説明を適宜省略する。
本実施形態２における装置４０において、取っ手部収容溝４５は、ロック部材収容溝４４の一部を構成している。取っ手部収容溝４５は、装置４０のロック部材４１がロック位置にあるときに装置４０の取っ手部４３を収容することができる。このため、作業者は、装置４０，装置４０’が隙間なく併設されているか否かによって、装置４０がロックされているか否かの判別を容易に行うことができる。また、ＤＩＮレール１に装置４０，４０’を複数併設するときに、設置済みの装置４０の取っ手部４３を、装置４０’のフランジ部分（装置４０’の取り付け面部４２’の右側面部分）で押し込んで、この装置４０の取っ手部収容溝４５に収容することで、装置４０’の併設処理と装置４０のロック処理とを並行して行うことができ、最後に併設する装置４０’だけを手動でロック処理を行えば良くなるため、装置４０’のロック処理の手間を低減することができる。また、装置４０，４０’の取っ手部４３，４３’が各装置４０，４０’の取っ手部収容溝４５，４５’にそれぞれ収容されるため、装置４０，４０’の設置後に取っ手部４３，４３’が突出せず、利便性を高めることができる。
また、取っ手部収容溝４５には、図１３に示されているようにざぐり穴４６が側面側から掘り下げて設けられており、これにより、取っ手部収容溝４５に収容された取っ手部４３をドライバ等の器具や作業者の手を介して引き出し易くすることができる。
【００３２】
本発明は前述した実施形態１，２に限定されるものではなく、本発明の要旨の範囲内、または、特許請求の範囲の均等範囲内で、各種の変形実施が可能である。
例えば、上述の実施形態１，２においては、短辺方向のＤＩＮレール収容溝１４に加えて長辺方向のＤＩＮレール収容溝１３を取り付け面部１２に設けることで、装置１０を縦方向のみならず横方向にも取り付けることが可能となっている。しかしながら、本発明はこの構成に限定されるものではなく、ＤＩＮレール収容溝１３及び１４のいずれか一方のみを設けるようにしてもよい。また、各溝１３，１４に用意される爪部材２０ａ，２０ｂ、２１ａ，２１ｂは、それぞれ２つ以上であってもよい。
また、ロック部材には、取っ手部の内側に解除状態であることを示す解除状態表示部（例えば、ＵＮＬＯＣＫ等の文字）を、ロック側スロープによる付勢力が及ばない状態で作業者が認識できる位置に設けてもよい。
また、取り付け面部は、装置のハウジングであってもよいし、装置とは別の部材のアタッチメント部材であってもよい。
また、装置の形状は、立方体形状、直方体形状のものが好ましいが、これに限らず、ＤＩＮレールに取り付け可能なものであれば、他の形状のものであってもよい。
また、ロック部材を同一の装置に複数設けてもよい。
【符号の説明】
【００３３】
１…ＤＩＮレール、２（２ａ，２ｂ）…フランジ、３…底面、４…壁、１０…装置、
１１…ハウジング、１２…取り付け面部、１３…長辺方向のＤＩＮレール収容溝、１４…短辺方向のＤＩＮレール収容溝、
１７…ロック部材、２０ａ，２０ｂ…爪部材、２１ａ，２１ｂ…爪部材、
２２ａ…長手方向進出部、２２ｂ…短手方向進出部、２３ａ，２３ｂ…ガイド部、
２４…ロック部材収容溝、２５…取っ手部、２６…表示部、２７…ドライバ係合穴、
２８…取っ手部収容溝、２９…収容溝上縁、３０…収容溝下縁、３１…板バネ部、
３２…コマ、３３…解除穴、３４…ロック穴、３５…解除位置、３６…境界位置、
３７…ロック位置、３８…解除側スロープ、３９…ロック側スロープ、
４０…装置、４１…ロック部材、４２…取り付け面部、４３…取っ手部、
４４…ロック部材収容溝、４５…取っ手部収容溝、４６…ざぐり穴、
１００…装置、１０１…爪部材、１０２…ロック部材
【図１】
0006465119.tif 000002
【図２】
0006465119.tif 000003
【図３】
0006465119.tif 000004
【図４】
0006465119.tif 000005
【図５】
0006465119.tif 000006
【図６】
0006465119.tif 000007
【図７】
0006465119.tif 000008
【図８】
0006465119.tif 000009
【図９】
0006465119.tif 000010
【図１０】
0006465119.tif 000011
【図１１】
0006465119.tif 000012
【図１２】
0006465119.tif 000013
【図１３】
0006465119.tif 000014
【図１４】
0006465119.tif 000015